(57)【要約】【課題】複数の制御機器から別々に制御コマンドを受けた場合でも不都合のないシステム制御を可能にする。【解決手段】信号線Ｌを介して、アドレスと制御コマンドを含むデジタル信号を送信する複数の制御機器２と接続される各照明器具１に点灯装置１０を設けて放電灯ＤＬを接続した。点灯装置１０は、信号線Ｌからデジタル信号を受信する送受信部１１と、デジタル信号に含まれる制御コマンドに従って、放電灯ＤＬを点灯、消灯、調光するための点灯制御信号を出力する点灯制御部１２と、点灯制御信号に従って、放電灯ＤＬを点灯、消灯、調光する点灯回路部１３と、送受信部１１−点灯制御部１２間に介設され、送受信部１１によりデジタル信号が受信されると、これに当該点灯装置１０に対するアドレスが含まれる場合、そのデジタル信号に含まれる制御コマンドが従うべき制御コマンドであるか否かを識別する判断部１５とを備える。【選択図】　図１
2004063213.tif 000002
【特許請求の範囲】
【請求項１】
信号線上にアドレスおよび制御コマンドを含むデジタル信号を送信する複数の制御機器とその信号線を介して接続される複数の照明器具の各々に設けられ、放電灯が別に接続される点灯装置であって、
少なくとも前記信号線から前記デジタル信号を受信する通信手段と、
この通信手段で受信されたデジタル信号に含まれる制御コマンドに従って、前記放電灯を点灯、消灯または調光するための点灯制御信号を出力する点灯制御手段と、
この点灯制御手段から出力される点灯制御信号に従って、前記放電灯を点灯、消灯または調光する点灯手段と、
前記通信手段と前記点灯制御手段との間に介設され、前記通信手段により前記デジタル信号が受信されると、このデジタル信号に当該点灯装置に対するアドレスが含まれる場合、そのデジタル信号に含まれる制御コマンドが従うべき制御コマンドであるか否かを識別するコマンド入力判断手段と
を備えることを特徴とする点灯装置。
【請求項２】
読み書き可能な記憶手段を備え、
前記コマンド入力判断手段は、
前記通信手段により、前記複数の制御機器のいずれかから、特定のアドレスおよび前記放電灯を点灯するための点灯制御コマンドを含むデジタル信号が受信される毎に、このデジタル信号に含まれるアドレスを前記記憶手段に記憶し、
前記通信手段により、前記複数の制御機器のいずれかから、前記放電灯を消灯するための消灯制御コマンドを含むデジタル信号が受信される毎に、このデジタル信号に含まれるアドレスと前記記憶手段に記憶したアドレスとの比較を行い、この比較結果に応じて前記消灯制御コマンドが従うべき制御コマンドであるか否かを識別する
ことを特徴とする請求項１記載の点灯装置。
【請求項３】
前記コマンド入力判断手段は、前記通信手段により、前記消灯制御コマンドを含むデジタル信号が受信される毎に、このデジタル信号に含まれるアドレスと前記記憶手段に最後に記憶したアドレスとの比較を行い、これら双方のアドレスが一致した比較結果が得られた場合に、前記消灯制御コマンドを従うべき制御コマンドであるとすることを特徴とする請求項２記載の点灯装置。
【請求項４】
前記コマンド入力判断手段は、前記通信手段により、前記消灯制御コマンドを含むデジタル信号が受信される毎に、このデジタル信号に含まれるアドレスと前記記憶手段に記憶したアドレスとの比較を行い、これら双方のアドレスが一致した比較結果が得られた場合、これら双方のアドレスを互いに対応付け、前記記憶手段に記憶したアドレスが全て対応付けられた場合に、前記通信手段により受信されたデジタル信号に含まれる消灯制御コマンドを従うべき制御コマンドであるとすることを特徴とする請求項２記載の点灯装置。
【請求項５】
前記コマンド入力判断手段は、前記通信手段により、前記複数の制御機器のいずれかから、特定のアドレスおよび前記放電灯を消灯するための消灯制御コマンド以外のコマンドを含むデジタル信号が受信される毎に、このデジタル信号に含まれるアドレスを前記記憶手段に記憶するとともに、そのコマンドを従うべき制御コマンドであるとすることを特徴とする請求項１から４のいずれかに記載の点灯装置。
【請求項６】
前記コマンド入力判断手段は、前記通信手段により前記デジタル信号が受信される毎に、このデジタル信号に含まれ、前記放電灯を点灯、消灯または調光するためのものであって前記制御機器の種別をも示すように設定された制御コマンドが、従うべき制御コマンドであるか否かを当該制御コマンドで示される種別に応じて識別することを特徴とする請求項１記載の点灯装置。
【請求項７】
前記複数の制御機器は、操作スイッチに対する操作に応じて前記放電灯を点灯、消灯または調光するための制御コマンドを含むデジタル信号を送信する操作スイッチ付き制御機器と、周囲に人が居るか否かに応じて前記放電灯を制御するための制御コマンドを含むデジタル信号を送信する人感センサ付き制御機器と、予め設定された時刻になると前記放電灯を制御するための制御コマンドを含むデジタル信号を送信するスケジュール制御機器と、照度センサから得られる照度値が予め設定された値になるように前記放電灯を調光するための制御コマンドを含むデジタル信号を送信する照度センサ付き制御機器とのうち、少なくとも２種類の制御機器を含み、
前記コマンド入力判断手段は、ある制御コマンドについては、その制御コマンドで示される種別が、前記操作スイッチ付き制御機器である場合にはその制御コマンドを優先度が１番高いコマンドであるとし、前記人感センサ付き制御機器である場合にはその制御コマンドを優先度が２番目に高いコマンドであるとし、前記スケジュール制御機器である場合にはその制御コマンドを優先度が３番目に高いコマンドであるとし、前記照度センサ付き制御機器である場合にはその制御コマンドを優先度が４番目に高いコマンドであるとする
ことを特徴とする請求項６記載の点灯装置。
【請求項８】
前記複数の制御機器は、前記操作スイッチ付き制御機器および前記照度センサ付き制御機器の２種類の制御機器を含み、
前記コマンド入力判断手段は、前記通信手段により受信されたデジタル信号に前記放電灯を点灯または消灯するための制御コマンドが含まれている場合、前記操作スイッチ付き制御機器からのコマンドの方を前記照度センサ付き制御機器からのコマンドよりも優先し、前記通信手段により受信されたデジタル信号に前記放電灯を調光するための制御コマンドが含まれている場合、前記照度センサ付き制御機器からのコマンドの方を前記操作スイッチ付き制御機器からのコマンドよりも優先する
ことを特徴とする請求項６または７記載の点灯装置。
【請求項９】
前記複数の制御機器は、前記操作スイッチ付き制御機器および前記照度センサ付き制御機器の２種類の制御機器を含み、
前記コマンド入力判断手段は、前記通信手段により受信されたデジタル信号に前記放電灯を点灯、消灯または調光するための制御コマンドが含まれている場合、前記操作スイッチ付き制御機器からのコマンドの方を前記照度センサ付き制御機器からのコマンドよりも優先する
ことを特徴とする請求項６または７記載の点灯装置。
【請求項１０】
前記信号線には、非常時にアドレスおよび前記放電灯を制御するための制御コマンドを含むデジタル信号を前記信号線上に送信する非常用制御機器が接続され、
前記コマンド入力判断手段は、前記通信手段により前記非常用制御機器からの制御コマンドが受信されると、この制御コマンドを従うべき制御コマンドであるとし、前記通信手段により受信されて得られる以降の制御コマンドを全て無視する
ことを特徴とする請求項１から９のいずれかに記載の点灯装置。
【請求項１１】
前記通信手段により前記非常用制御機器からの制御コマンドが受信されると、前記信号線を強制的に短絡する短絡手段を備えることを特徴とする請求項１０記載の点灯装置。
【請求項１２】
前記信号線は、信号変換器を介して別のシステムの信号線と接続され、前記信号変換器は、前記短絡手段によって前記信号線が強制的に短絡されると、前記別のシステムの信号線に信号を送信することを特徴とする請求項１１記載の点灯装置。
【請求項１３】
前記放電灯の出力レベルが記憶される読み書き可能な記憶手段を備え、
前記複数の制御機器は、周囲に人が居るか否かに応じて前記放電灯を点灯または消灯するための制御コマンドを含むデジタル信号を送信する人感センサ付き制御機器を含み、
前記コマンド入力判断手段は、前記通信手段により、前記放電灯を点灯、消灯または調光するためのものであって前記制御機器の種別をも示すように設定された制御コマンドを含むデジタル信号が受信され、このデジタル信号の制御コマンドによって示される制御機器が前記人感センサ付き制御機器であり、その制御コマンドが周囲に人が居ないときのものである場合、これを前記点灯制御手段に優先的に入力する
ことを特徴とする請求項１記載の点灯装置。
【請求項１４】
前記複数の制御機器は、照度センサから得られる照度値が予め設定された値になるように前記放電灯を調光するための制御コマンドを含むデジタル信号を送信する照度センサ付き制御機器をさらに含み、
前記コマンド入力判断手段は、前記通信手段により受信されたデジタル信号に前記放電灯を調光するための調光制御コマンドが含まれ、この制御コマンドによって示される制御機器が前記照度センサ付き制御機器である場合、その調光制御コマンドの前記点灯制御手段への入力を禁止し、その照度センサ付き制御機器による出力レベルを前記記憶手段に記憶する
ことを特徴とする請求項１３記載の点灯装置。
【請求項１５】
前記コマンド入力判断手段は、前記通信手段により受信されたデジタル信号に前記放電灯を点灯するための制御コマンドが含まれ、この制御コマンドによって示される制御機器が前記人感センサ付き制御機器である場合、前記記憶手段に記憶された出力レベルになるように前記点灯制御手段に制御コマンドを入力することを特徴とする請求項１３または１４記載の点灯装置。
【請求項１６】
前記信号線とは別に直付けされ前記放電灯を制御するための制御コマンドを出力する操作機器を備え、
前記コマンド入力判断手段は、前記信号線から得られる制御コマンドと前記操作機器から出力される制御コマンドのいずれに従うかを判断する
ことを特徴とする請求項１記載の点灯装置。
【発明の詳細な説明】
【０００１】
【発明の属する技術分野】
本発明は、信号線上にアドレスおよび制御コマンドを含むデジタル信号を送信する複数の制御機器とその信号線を介して接続される複数の照明器具の各々に設けられ、放電灯が別に接続される点灯装置に関するものである。
【０００２】
【従来の技術】
図１５は従来の点灯装置を含むシステム構成図である。図１５に示す点灯装置１０Ｘは、信号（調光信号）線Ｌ１上にＰＷＭ調光信号を送信する制御機器２’とその信号線Ｌ１を介して接続される複数の照明器具１の各々に設けられ、放電灯ＤＬが別に接続されている。ＰＷＭ調光信号は、固定周波数で可変デューティ比の調光信号であり、制御機器２’で生成され、信号線Ｌ１を介して点灯装置１０ＸのＰＷＭ調光信号端子に入力される。この構成によれば、信号線Ｌ１に接続された各照明器具１が制御機器２’で生成されＰＷＭ調光信号に従って調光点灯する。
【０００３】
しかし、このシステムでは、一つの信号線Ｌ１に接続された複数の照明器具１をグループに分けてグループ単位で別々に制御することができない。グループ単位で制御を行なう場合は、図１６に示すように、信号線Ｌ１をグループ毎に用意する必要があり、配線施工が複雑で、グループ分けが配線に依存するため、グループの変更など利便性に乏しい欠点がある。
【０００４】
図１７は別の従来の点灯装置を含むシステム構成図である。図１７に示す点灯装置１０Ｙは、信号線Ｌ上にアドレスおよび制御コマンドを含むデジタル信号を送信する制御機器２とその信号線Ｌを介して接続される複数の照明器具１の各々に設けられ、放電灯ＤＬが別に接続されている。デジタル信号は、電圧振幅変化で示される０と１のビット情報からなる調光信号であり、制御機器２で生成され、信号線Ｌを介して点灯装置１０Ｙのデジタル調光信号端子に入力される。点灯装置１０Ｙは、自らが属するグループアドレスが割り当てられている。
【０００５】
制御機器２から調光用のデジタル信号が送信されると、その信号に含まれるグループアドレスと一致するグループに属する点灯装置１０Ｙがそのデジタル信号に含まれる制御コマンドに従って動作する。
【０００６】
このようなシステムによれば、複数の照明器具１が同一の信号線Ｌに接続されていても、それらをグループ単位で制御することができる。また、グループ情報は点灯装置１０Ｙ内の記憶装置に記憶された情報をもとにマイコンなどの手段を用いてソフト的に処理されるため、グループの変更や一つの点灯装置が複数のグループに属する点灯制御など、よりきめ細かな制御が可能となり利便性が向上する。
【０００７】
さらに、図１８に示すように、制御機器２として、周囲（センサ検知範囲内）に人が居るか否かに応じて放電灯ＤＬを制御（例えば点灯または消灯）するための制御コマンドを含むデジタル信号を送信する人感センサ付き制御機器２１を使用する場合、そのセンサ検知範囲内に人が居れば、制御対象のグループアドレスおよび制御コマンド（点灯オンコマンド）を含むデジタル信号が送信される。これにより、送信されたグループアドレスと一致するグループを持つ照明器具１がその制御コマンドに応じて動作（点灯）する。この後、そのセンサ検知範囲内に人が居なくなり所定の保持時間が経過すれば、制御対象のグループアドレスおよび点灯オフコマンドを含むデジタル信号が送信される。これにより、送信されたグループアドレスと一致するグループを持つ照明器具１がその制御コマンドに応じて消灯する。このように、人感センサ付き制御機器２１を使用することで、人の不在時に消灯して電気の無駄使いを防止し、省エネ効果を図ることができる。
【０００８】
なお、特開２００１−１５２７２公報には、所定の信号を最初に送信した照明器具に対して信号送信用の高い優先権を付与することにより、情報の損失を防止するようにした照明装置が記載されている。
【０００９】
【発明が解決しようとする課題】
しかしながら、図１７，図１８に示した従来のシステムでは、点灯装置が、複数の制御機器から別々に制御コマンドを受けた場合に、システム制御に不都合を来す動作をする場合がある。
【００１０】
図１８に示した構成において、一方の人感センサ付き制御機器２１が「グループ１アドレス」のグループＧ１を制御し、他方の人感センサ付き制御機器２１が「グループ２アドレス」のグループＧ２を制御したとすると、複数のグループＧ１，Ｇ２に属する点灯装置は、一方の人感センサ付き制御機器２１からの制御コマンドにも応答し、他方の人感センサ付き制御機器２１からの制御コマンドにも応答する。例えば、一方の人感センサ付き制御機器２１が人を検知して制御コマンド（オンコマンド）を送信したとすると、グループＧ１に属する照明器具１が点灯する。このとき、グループＧ１，Ｇ２に属する照明器具１も点灯する。この後、他方の人感センサ付き制御機器２１が人を検知して制御コマンド（オンコマンド）を送信したとすると、グループＧ２に属する照明器具１が点灯する。この後、一方の人感センサ付き制御機器２１が人を検知しなくなり所定時間が経過すると、制御コマンド（オフコマンド）が送信される。これにより、グループＧ１に属する照明器具１が消灯し、グループＧ１，Ｇ２に属する照明器具１も消灯する。このとき、他方の人感センサ付き制御機器２１が人を検知しているにも関わらず、グループＧ１，Ｇ２に属する照明器具１が消灯してしまい、システム制御に不都合を生じる。
【００１１】
本発明は、上記事情に鑑みてなされたものであり、複数の制御機器から別々に制御コマンドを受けた場合でも不都合のないシステム制御が可能となる点灯装置を提供することを目的とする。
【００１２】
【課題を解決するための手段】
上記課題を解決するための請求項１記載の発明は、信号線上にアドレスおよび制御コマンドを含むデジタル信号を送信する複数の制御機器とその信号線を介して接続される複数の照明器具の各々に設けられ、放電灯が別に接続される点灯装置であって、少なくとも前記信号線から前記デジタル信号を受信する通信手段と、この通信手段で受信されたデジタル信号に含まれる制御コマンドに従って、前記放電灯を点灯、消灯または調光するための点灯制御信号を出力する点灯制御手段と、この点灯制御手段から出力される点灯制御信号に従って、前記放電灯を点灯、消灯または調光する点灯手段と、前記通信手段と前記点灯制御手段との間に介設され、前記通信手段により前記デジタル信号が受信されると、このデジタル信号に当該点灯装置に対するアドレスが含まれる場合、そのデジタル信号に含まれる制御コマンドが従うべき制御コマンドであるか否かを識別するコマンド入力判断手段とを備えることを特徴とする。
【００１３】
請求項２記載の発明は、請求項１記載の点灯装置において、読み書き可能な記憶手段を備え、前記コマンド入力判断手段は、前記通信手段により、前記複数の制御機器のいずれかから、特定のアドレスおよび前記放電灯を点灯するための点灯制御コマンドを含むデジタル信号が受信される毎に、このデジタル信号に含まれるアドレスを前記記憶手段に記憶し、前記通信手段により、前記複数の制御機器のいずれかから、前記放電灯を消灯するための消灯制御コマンドを含むデジタル信号が受信される毎に、このデジタル信号に含まれるアドレスと前記記憶手段に記憶したアドレスとの比較を行い、この比較結果に応じて前記消灯制御コマンドが従うべき制御コマンドであるか否かを識別することを特徴とする。
【００１４】
請求項３記載の発明は、請求項２記載の点灯装置において、前記コマンド入力判断手段は、前記通信手段により、前記消灯制御コマンドを含むデジタル信号が受信される毎に、このデジタル信号に含まれるアドレスと前記記憶手段に最後に記憶したアドレスとの比較を行い、これら双方のアドレスが一致した比較結果が得られた場合に、前記消灯制御コマンドを従うべき制御コマンドであるとすることを特徴とする。
【００１５】
請求項４記載の発明は、請求項２記載の点灯装置において、前記コマンド入力判断手段は、前記通信手段により、前記消灯制御コマンドを含むデジタル信号が受信される毎に、このデジタル信号に含まれるアドレスと前記記憶手段に記憶したアドレスとの比較を行い、これら双方のアドレスが一致した比較結果が得られた場合、これら双方のアドレスを互いに対応付け、前記記憶手段に記憶したアドレスが全て対応付けられた場合に、前記通信手段により受信されたデジタル信号に含まれる消灯制御コマンドを従うべき制御コマンドであるとすることを特徴とする。
【００１６】
請求項５記載の発明は、請求項１から４のいずれかに記載の点灯装置において、前記コマンド入力判断手段は、前記通信手段により、前記複数の制御機器のいずれかから、特定のアドレスおよび前記放電灯を消灯するための消灯制御コマンド以外のコマンドを含むデジタル信号が受信される毎に、このデジタル信号に含まれるアドレスを前記記憶手段に記憶するとともに、そのコマンドを従うべき制御コマンドであるとすることを特徴とする。
【００１７】
請求項６記載の発明は、請求項１記載の点灯装置において、前記コマンド入力判断手段は、前記通信手段により前記デジタル信号が受信される毎に、このデジタル信号に含まれ、前記放電灯を点灯、消灯または調光するためのものであって前記制御機器の種別をも示すように設定された制御コマンドが、従うべき制御コマンドであるか否かを当該制御コマンドで示される種別に応じて識別することを特徴とする。
【００１８】
請求項７記載の発明は、請求項６記載の点灯装置において、前記複数の制御機器は、操作スイッチに対する操作に応じて前記放電灯を点灯、消灯または調光するための制御コマンドを含むデジタル信号を送信する操作スイッチ付き制御機器と、周囲に人が居るか否かに応じて前記放電灯を制御するための制御コマンドを含むデジタル信号を送信する人感センサ付き制御機器と、予め設定された時刻になると前記放電灯を制御するための制御コマンドを含むデジタル信号を送信するスケジュール制御機器と、照度センサから得られる照度値が予め設定された値になるように前記放電灯を調光するための制御コマンドを含むデジタル信号を送信する照度センサ付き制御機器とのうち、少なくとも２種類の制御機器を含み、前記コマンド入力判断手段は、ある制御コマンドについては、その制御コマンドで示される種別が、前記操作スイッチ付き制御機器である場合にはその制御コマンドを優先度が１番高いコマンドであるとし、前記人感センサ付き制御機器である場合にはその制御コマンドを優先度が２番目に高いコマンドであるとし、前記スケジュール制御機器である場合にはその制御コマンドを優先度が３番目に高いコマンドであるとし、前記照度センサ付き制御機器である場合にはその制御コマンドを優先度が４番目に高いコマンドであるとすることを特徴とする。
【００１９】
請求項８記載の発明は、請求項６または７記載の点灯装置において、前記複数の制御機器は、前記操作スイッチ付き制御機器および前記照度センサ付き制御機器の２種類の制御機器を含み、前記コマンド入力判断手段は、前記通信手段により受信されたデジタル信号に前記放電灯を点灯または消灯するための制御コマンドが含まれている場合、前記操作スイッチ付き制御機器からのコマンドの方を前記照度センサ付き制御機器からのコマンドよりも優先し、前記通信手段により受信されたデジタル信号に前記放電灯を調光するための制御コマンドが含まれている場合、前記照度センサ付き制御機器からのコマンドの方を前記操作スイッチ付き制御機器からのコマンドよりも優先することを特徴とする。
【００２０】
請求項９記載の発明は、請求項６または７記載の点灯装置において、前記複数の制御機器は、前記操作スイッチ付き制御機器および前記照度センサ付き制御機器の２種類の制御機器を含み、前記コマンド入力判断手段は、前記通信手段により受信されたデジタル信号に前記放電灯を点灯、消灯または調光するための制御コマンドが含まれている場合、前記操作スイッチ付き制御機器からのコマンドの方を前記照度センサ付き制御機器からのコマンドよりも優先することを特徴とする。
【００２１】
請求項１０記載の発明は、請求項１から９のいずれかに記載の点灯装置において、前記信号線には、非常時にアドレスおよび前記放電灯を制御するための制御コマンドを含むデジタル信号を前記信号線上に送信する非常用制御機器が接続され、前記コマンド入力判断手段は、前記通信手段により前記非常用制御機器からの制御コマンドが受信されると、この制御コマンドを従うべき制御コマンドであるとし、前記通信手段により受信されて得られる以降の制御コマンドを全て無視することを特徴とする。
【００２２】
請求項１１記載の発明は、請求項１０記載の点灯装置において、前記通信手段により前記非常用制御機器からの制御コマンドが受信されると、前記信号線を強制的に短絡する短絡手段を備えることを特徴とする。
【００２３】
請求項１２記載の発明は、請求項１１記載の点灯装置において、前記信号線は、信号変換器を介して別のシステムの信号線と接続され、前記信号変換器は、前記短絡手段によって前記信号線が強制的に短絡されると、前記別のシステムの信号線に信号を送信することを特徴とする。
【００２４】
請求項１３記載の発明は、請求項１記載の点灯装置において、前記放電灯の出力レベルが記憶される読み書き可能な記憶手段を備え、前記複数の制御機器は、周囲に人が居るか否かに応じて前記放電灯を点灯または消灯するための制御コマンドを含むデジタル信号を送信する人感センサ付き制御機器を含み、前記コマンド入力判断手段は、前記通信手段により、前記放電灯を点灯、消灯または調光するためのものであって前記制御機器の種別をも示すように設定された制御コマンドを含むデジタル信号が受信され、このデジタル信号の制御コマンドによって示される制御機器が前記人感センサ付き制御機器であり、その制御コマンドが周囲に人が居ないときのものである場合、これを前記点灯制御手段に優先的に入力することを特徴とする。
【００２５】
請求項１４記載の発明は、請求項１３記載の点灯装置において、前記複数の制御機器は、照度センサから得られる照度値が予め設定された値になるように前記放電灯を調光するための制御コマンドを含むデジタル信号を送信する照度センサ付き制御機器をさらに含み、前記コマンド入力判断手段は、前記通信手段により受信されたデジタル信号に前記放電灯を調光するための調光制御コマンドが含まれ、この制御コマンドによって示される制御機器が前記照度センサ付き制御機器である場合、その調光制御コマンドの前記点灯制御手段への入力を禁止し、その照度センサ付き制御機器による出力レベルを前記記憶手段に記憶することを特徴とする。
【００２６】
請求項１５記載の発明は、請求項１３または１４記載の点灯装置において、前記コマンド入力判断手段は、前記通信手段により受信されたデジタル信号に前記放電灯を点灯するための制御コマンドが含まれ、この制御コマンドによって示される制御機器が前記人感センサ付き制御機器である場合、前記記憶手段に記憶された出力レベルになるように前記点灯制御手段に制御コマンドを入力することを特徴とする。
【００２７】
請求項１６記載の発明は、請求項１記載の点灯装置において、前記信号線とは別に直付けされ前記放電灯を制御するための制御コマンドを出力する操作機器を備え、前記コマンド入力判断手段は、前記信号線から得られる制御コマンドと前記操作機器から出力される制御コマンドのいずれに従うかを判断することを特徴とする。
【００２８】
ここで、本発明の点灯装置およびこれを含むシステムの基本構成例を示すと、図１４に示すような構成となる。すなわち、点灯装置１０は、信号線Ｌ上にアドレスおよび制御コマンドを含むデジタル信号を送信する複数（図では複数種）の制御機器２とその信号線Ｌを介して接続される複数の照明器具１の各々に設けられ、放電灯ＤＬが別に接続される。点灯装置１０は、少なくとも信号線Ｌからデジタル信号を受信する通信手段（図では送受信部１１）と、この通信手段で受信されたデジタル信号に含まれる制御コマンドに従って、放電灯ＤＬを点灯、消灯または調光するための点灯制御信号を出力する点灯制御部１２と、この点灯制御部１２から出力される点灯制御信号に従って、放電灯ＤＬを点灯、消灯または調光する点灯回路部１３と、通信手段と点灯制御部１２との間に介設され、通信手段によりデジタル信号が受信されると、このデジタル信号に当該点灯装置１０に対するアドレスが含まれる場合、そのデジタル信号に含まれる制御コマンドが従うべき制御コマンドであるか否かを識別し、従うべき制御コマンドである場合には、例えばその制御コマンドを点灯制御部１２に入力する判断部１３とを備え、記憶部１４が具備される。
【００２９】
【発明の実施の形態】
（第１実施形態）
図１は本発明に係る第１実施形態の点灯装置およびこれを含むシステムの構成図、図２は同点灯装置の動作フロー図、図３は同点灯装置の動作説明図である。
【００３０】
第１実施形態の点灯装置１０は、図１に示すように、２線式の信号線Ｌ上にアドレス（図では「Ｇ１」に対応する「グループ１アドレス」，「Ｇ２」に対応する「グループ２アドレス」）および制御コマンドを含むデジタル信号を送信する複数の制御機器２とその信号線Ｌを介してバス接続される複数の照明器具１の各々に設けられ、放電灯（図では蛍光灯）ＤＬが個別に接続される。
【００３１】
ただし、第１実施形態では、制御機器２は、周囲に人が居るか否かに応じて放電灯ＤＬを制御（例えば点灯または消灯）するための制御コマンドを含むデジタル信号を送信する人感センサ付き制御機器２１であり、一方（図では右方）の人感センサ付き制御機器２１は、「グループ１アドレス」および制御コマンドを含むデジタル信号を送信し、他方の人感センサ付き制御機器２１は、「グループ２アドレス」および制御コマンドを含むデジタル信号を送信するように設定されている。また、各照明器具１は、図１（ａ）に示すように、グループＧ１，Ｇ２に属することを示す「グループ１アドレス」，「グループ２アドレス」が割り当てられている。
【００３２】
点灯装置１０は、信号線Ｌに対しデジタル信号を送受信する送受信部１１と、この送受信部１１で受信されたデジタル信号に含まれる制御コマンドに従って、放電灯ＤＬを点灯、消灯または調光するための点灯制御信号を出力する点灯制御部１２と、商用交流電源ＡＣに接続され点灯制御部１２から出力される点灯制御信号に従って、放電灯ＤＬを点灯、消灯または調光する点灯回路部１３とを従来と同様に備えているほか、第１実施形態の特徴として、アドレス記憶部１４と、判断部１５とを備えている。
【００３３】
アドレス記憶部１４は、例えばＲＡＭにより構成され、送受信部１１から得られるアドレスを記憶するためのものである。
【００３４】
判断部１５は、送受信部１１と点灯制御部１２との間に介設され、送受信部１１によりデジタル信号が受信されると、このデジタル信号に当該点灯装置１０に対するアドレスが含まれる場合、そのデジタル信号に含まれる制御コマンドが従うべき制御コマンドであるか否かを識別し、従うべき制御コマンドである場合にはその制御コマンドを点灯制御部１２に入力するものである。
【００３５】
第１実施形態では、判断部１５は、送受信部１１により、複数の制御機器２のいずれかから、特定のアドレスおよび放電灯ＤＬを点灯するための点灯制御コマンドを含むデジタル信号が受信される毎に（図２の例では、Ｓ１のＮｏにおいて消灯制御コマンドを含むデジタル信号でなければ）、このデジタル信号に含まれるアドレスをアドレス記憶部１４に記憶するとともに（Ｓ２）、そのコマンドを従うべき制御コマンドであるとする（Ｓ３）。
【００３６】
また、判断部１５は、送受信部１１により、複数の制御機器２のいずれかから、放電灯ＤＬを消灯するための消灯制御コマンドを含むデジタル信号が受信される毎に（図２の例では、Ｓ１のＹｅｓにおいて消灯制御コマンドを含むデジタル信号であれば）、このデジタル信号に含まれるアドレスとアドレス記憶部１４に記憶したアドレスとの比較を行い（Ｓ４）、この比較結果に応じて上記消灯制御コマンドが従うべき制御コマンドであるか否かを識別する。第１実施形態では、デジタル信号に含まれるアドレスとアドレス記憶部１４に最後に記憶したアドレスとの比較を行い、これら双方のアドレスが一致した比較結果が得られた場合には（Ｓ４でＹｅｓ）、消灯制御コマンドを従うべき制御コマンドであるとする一方（Ｓ５）、一致した比較結果が得られなかった場合には（Ｓ４でＮｏ）、照明状態（図２では点灯）を維持する（Ｓ６）。なお、双方のアドレスが一致した比較結果が得られた場合、該当するデータは削除され初期化される。
【００３７】
ここで、従来では、図１８に示すように、グループＧ１，Ｇ２の両方に属する照明器具は、両人感センサ付き制御機器２１からデジタル信号を受信すると、一方の人感センサ付き制御機器２１からの制御コマンドにも、他方の人感センサ付き制御機器２１からの制御コマンドにも応答することになり、点灯を維持して欲しい時に消灯してしまうことがある。
【００３８】
これに対し、点灯装置１０を各照明器具１に内蔵して構成される第１実施形態のシステムでは、以下の動作により点灯を維持して欲しい時に消灯してしまうことを防止することができる。
【００３９】
「グループ１アドレス」の方の人感センサ付き制御機器２１が、周囲に人が居ることを検知すると、図３に示すように、「グループ１アドレス」および点灯制御コマンド（図では「点灯オンコマンド」）を含むデジタル信号を送信する。
【００４０】
「グループ１アドレス」に属する各照明器具１は、そのデジタル信号を受信すると、このデジタル信号に含まれる「グループ１アドレス」をアドレス記憶部１４に記憶するとともに、点灯制御コマンドを従うべき制御コマンドであるとして点灯制御部１２に入力する。これにより、「グループ１アドレス」に属する各放電灯ＤＬが点灯する。ここで、アドレス記憶部１４は、記憶しているアドレスと受信したアドレスとが一致しない場合には受信したアドレスに書き換えられる。
【００４１】
この後、「グループ２アドレス」の方の人感センサ付き制御機器２１が、周囲に人が居ることを検知すると、「グループ２アドレス」および点灯制御コマンドを含むデジタル信号を送信する。
【００４２】
「グループ２アドレス」に属する各照明器具１は、そのデジタル信号を受信すると、このデジタル信号に含まれる「グループ２アドレス」をアドレス記憶部１４に記憶するとともに、点灯制御コマンドを従うべき制御コマンドであるとして点灯制御部１２に入力する。これにより、「グループ２アドレス」に属する各放電灯ＤＬが点灯する。ここで、アドレス記憶部１４は、記憶しているアドレスと受信したアドレスとが一致しない場合には受信したアドレスに書き換えられ、両グループに属する照明器具１のアドレス記憶部１４は、「グループ１アドレス」から「グループ２アドレス」に書き換えられることになる。
【００４３】
この後、「グループ１アドレス」の方の人感センサ付き制御機器２１が、周囲に人が居ることを検知しなくなり、所定時間が経過すると、「グループ１アドレス」および消灯制御コマンド（図３では「点灯オフコマンド」）を含むデジタル信号を送信する。
【００４４】
「グループ１アドレス」のみに属する各照明器具１は、そのデジタル信号を受信すると、このデジタル信号に含まれるアドレスとアドレス記憶部１４に記憶したアドレスとが一致した比較結果が得られるので、消灯制御コマンドを従うべき制御コマンドであるとして点灯制御部１２に入力する。これにより、「グループ１アドレス」のみに属する各放電灯ＤＬが消灯する。これに対し、両グループに属する照明器具１は、一致した比較結果が得られないので、消灯制御コマンドを従うべき制御コマンドでないとして点灯制御部１２への入力が禁止される。これにより、両グループに属する放電灯ＤＬは点灯を維持する。
【００４５】
この後、「グループ２アドレス」の方の人感センサ付き制御機器２１が、周囲に人が居ることを検知しなくなり、所定時間が経過すると、「グループ２アドレス」および消灯制御コマンドを含むデジタル信号を送信する。
【００４６】
「グループ２アドレス」のみに属する各照明器具１は、そのデジタル信号を受信すると、このデジタル信号に含まれるアドレスとアドレス記憶部１４に記憶したアドレスとが一致した比較結果が得られるので、消灯制御コマンドを従うべき制御コマンドであるとして点灯制御部１２に入力する。これにより、「グループ２アドレス」のみに属する各放電灯ＤＬが消灯する。また、両グループに属する照明器具１も、一致した比較結果が得られるので、消灯制御コマンドを従うべき制御コマンドであるとして点灯制御部１２に入力する。これにより、両グループに属する放電灯ＤＬも消灯する。
【００４７】
このように、デジタル信号に含まれるアドレスとアドレス記憶部１４に最後に記憶したアドレスとの比較を行うことにより、単一のグループに属する各放電灯をそのアドレスに応じて点灯および消灯させることができるほか、複数のグループに属する各放電灯をそのアドレスに応じて点灯させることができ、それら全てのアドレスに対して消灯制御コマンドが出された時に消灯させることができる。
【００４８】
（第２実施形態）
図４は本発明に係る第２実施形態の点灯装置の構成図、図５は同点灯装置の動作説明図である。
【００４９】
第２実施形態の点灯装置１０Ａは、図４に示すように、送受信部１１と、点灯制御部１２と、点灯回路部１３と、アドレス記憶部１４とを第１実施形態の点灯装置１０と同様に備えているほか、点灯装置１０との相違点として判断部１５Ａとを備えている。ただし、アドレス記憶部１４に記憶されるデータは、図５に示すように、第１実施形態のデータとは異なる。
【００５０】
判断部１５Ａは、第１実施形態の判断部１５との相違点として、送受信部１１により、消灯制御コマンドを含むデジタル信号が受信される毎に、このデジタル信号に含まれるアドレスとアドレス記憶部１４に記憶したアドレスとの比較を行い、これら双方のアドレスが一致した比較結果が得られた場合、これら双方のアドレスを互いに対応付け、アドレス記憶部１４に記憶したアドレスが全て対応付けられた場合に、送受信部１１により受信されたデジタル信号に含まれる消灯制御コマンドを従うべき制御コマンドであるとする。なお、アドレス記憶部１４に記憶したアドレスが全て対応付けられた場合、それらのデータは削除され初期化される。
【００５１】
この点灯装置１０Ａを各照明器具１に内蔵して構成される第２実施形態のシステムでは、図５に示すように、「グループ１アドレス」の方の人感センサ付き制御機器２１が、周囲に人が居ることを検知すると、「グループ１アドレス」および点灯制御コマンドを含むデジタル信号を送信する。
【００５２】
「グループ１アドレス」に属する各照明器具１は、そのデジタル信号を受信すると、このデジタル信号に含まれる「グループ１アドレス」で点灯制御コマンドを受信した旨をアドレス記憶部１４に記憶するとともに、その点灯制御コマンドを従うべき制御コマンドであるとして点灯制御部１２に入力する。これにより、「グループ１アドレス」に属する各放電灯ＤＬが点灯する。
【００５３】
この後、「グループ２アドレス」の方の人感センサ付き制御機器２１が、周囲に人が居ることを検知すると、「グループ２アドレス」および点灯制御コマンドを含むデジタル信号を送信する。
【００５４】
「グループ２アドレス」に属する各照明器具１は、そのデジタル信号を受信すると、このデジタル信号に含まれる「グループ２アドレス」で点灯制御コマンドを受信した旨をアドレス記憶部１４に記憶するとともに、その点灯制御コマンドを従うべき制御コマンドであるとして点灯制御部１２に入力する。これにより、「グループ２アドレス」に属する各放電灯ＤＬが点灯する。
【００５５】
この後、「グループ１アドレス」の方の人感センサ付き制御機器２１が、周囲に人が居ることを検知しなくなり、所定時間が経過すると、「グループ１アドレス」および消灯制御コマンドを含むデジタル信号を送信する。
【００５６】
「グループ１アドレス」のみに属する各照明器具１は、そのデジタル信号を受信すると、このデジタル信号に含まれるアドレスとアドレス記憶部１４に記憶したアドレスとが一致した比較結果が得られるので、これら双方のアドレスを互いに対応付ける。このとき、アドレス記憶部１４に記憶したアドレスが全て対応付けられるので、送受信部１１により受信されたデジタル信号に含まれる消灯制御コマンドが、従うべき制御コマンドであるとして点灯制御部１２に入力される。これにより、「グループ１アドレス」のみに属する各放電灯ＤＬが消灯する。これに対し、両グループに属する照明器具１は、アドレス記憶部１４に記憶したアドレスが全て対応付けられないので、消灯制御コマンドを従うべき制御コマンドでないとして点灯制御部１２への入力が禁止される。これにより、両グループに属する放電灯ＤＬは点灯を維持する。
【００５７】
この後、「グループ２アドレス」の方の人感センサ付き制御機器２１が、周囲に人が居ることを検知しなくなり、所定時間が経過すると、「グループ２アドレス」および消灯制御コマンドを含むデジタル信号を送信する。
【００５８】
「グループ２アドレス」のみに属する各照明器具１は、そのデジタル信号を受信すると、このデジタル信号に含まれるアドレスとアドレス記憶部１４に記憶したアドレスとが一致した比較結果が得られるので、これら双方のアドレスを互いに対応付ける。このとき、アドレス記憶部１４に記憶したアドレスが全て対応付けられるので、送受信部１１により受信されたデジタル信号に含まれる消灯制御コマンドが、従うべき制御コマンドであるとして点灯制御部１２に入力される。これにより、「グループ２アドレス」のみに属する各放電灯ＤＬが消灯する。また、両グループに属する照明器具１も、アドレス記憶部１４に記憶したアドレスが全て対応付けられる（図５中の「点灯」「消灯」の桝目が全て埋まる）ので、送受信部１１により受信されたデジタル信号に含まれる消灯制御コマンドが、従うべき制御コマンドであるとして点灯制御部１２に入力される。これにより、両グループに属する放電灯ＤＬも消灯する。
【００５９】
このように、アドレス記憶部１４に記憶したアドレスが全て対応付けられた場合に、送受信部１１により受信されたデジタル信号に含まれる消灯制御コマンドを従うべき制御コマンドであるとすることにより、単一のグループに属する各放電灯をそのアドレスに応じて点灯および消灯させることができるほか、複数のグループに属する各放電灯をそのアドレスに応じて点灯させることができ、それら全てのアドレスに対して消灯制御コマンドが出された時に消灯させることができる。
【００６０】
（第３実施形態）
図６は本発明に係る第３実施形態の点灯装置およびこれを含むシステムの構成図、図７は同点灯装置の動作説明図である。
【００６１】
第３実施形態の点灯装置１０Ｂは、図６に示すように、送受信部１１と、点灯制御部１２と、点灯回路部１３とを第１実施形態の点灯装置１０と同様に備えているほか、点灯装置１０との相違点として、優先順位記憶部１４Ａと、判断部１５Ｂとを備えている。
【００６２】
ただし、第３実施形態では、制御機器２は、各種操作スイッチに対する操作に応じて、予め設定されたアドレスにより対応付けられた放電灯ＤＬを点灯、消灯または調光するための制御コマンドを含むデジタル信号を送信する操作スイッチ付き制御機器２０（以下「壁スイッチ」ともいう）と、照度センサから得られる照度値が予め設定された値になるように、予め設定されたアドレスにより対応付けられた放電灯ＤＬを調光するための制御コマンドを含むデジタル信号を送信する照度センサ付き制御機器２３（以下単に「照度センサ」ともいう）とを含む。また、これら操作スイッチ付き制御機器２０および照度センサ付き制御機器２３は、「Ｇ１」に対応する「グループ１アドレス」および制御コマンドを含むデジタル信号を送信するように設定されている。
【００６３】
優先順位記憶部１４Ａは、例えばＲＡＭにより構成され、図７に示すような優先順位テーブルを記憶するためのものである。
【００６４】
判断部１５Ｂは、第２実施形態の判断部１５との相違点として、送受信部１１によりデジタル信号が受信される毎に、このデジタル信号に含まれ、放電灯ＤＬを点灯、消灯または調光するためのものであって制御機器２の種別をも示すように設定された制御コマンドが、従うべき制御コマンドであるか否かを当該制御コマンドで示される種別に応じて識別する。具体的には、送受信部１１により受信されたデジタル信号に放電灯ＤＬを点灯または消灯するための制御コマンドが含まれている場合、操作スイッチ付き制御機器２０からのコマンドの方を照度センサ付き制御機器２３からのコマンドよりも優先し、送受信部１１により受信されたデジタル信号に放電灯ＤＬを調光するための制御コマンドが含まれている場合、照度センサ付き制御機器２３からのコマンドの方を操作スイッチ付き制御機器２０からのコマンドよりも優先する。すなわち、図６の例に示すように、同一のグループＧ１の各照明器具１に対して、操作スイッチ付き制御機器２０および照度センサ付き制御機器２３の２種類の制御機器２が対応付けられている場合、フル点灯（全点灯）、消灯、調光アップ、調光ダウンなどの制御コマンドは、例えば
2004063213.tif 000003
などのように設定される。
【００６５】
従来、窓から差し込む外光を利用して省エネを図るなどの目的で、照度センサにより照明器具下の一定照度制御を行なう調光制御と、壁スイッチなどから手動で照度調整を行なう調光制御とを同一グループの各照明器具に対して行なう場合に、外光量が増えて照度センサから減光制御する制御コマンドが照明器具に送信されているにも関わらず、壁スイッチから手動で光量を増やそうと人為的に増光制御を行なうと、照明器具はいずれのコマンドにも従って照度が増加したり減少したりを繰り返し、適切な照明制御を成し得ることができない。
【００６６】
そこで、各照明器具１の判断部１５Ｂは、自身のアドレス宛てに受信する制御コマンドが、照度センサからのコマンドのみである場合および壁スイッチからのコマンドのみである場合には、フル点灯、調光アップ／ダウンの調光、消灯などの全ての制御コマンドを点灯制御部１２に入力する。これに対し、判断部１５Ｂは、照度センサおよび壁スイッチから互いにバッティングし合う制御コマンドが送受信部１１により受信されると、優先順位記憶部１４Ａの優先順位テーブルを利用して、その制御コマンドが従うべき制御コマンドであるか否かを識別する。
【００６７】
後者についてさらに詳述すると、図７に示すように、壁スイッチからのフル点灯、消灯の各制御コマンドが最も優先度が高く、判断部１５Ｂは、送受信部１１によりその制御コマンドが受信されると、これを点灯制御部１２に入力し、これ以降、解除されるまで壁スイッチからの制御コマンドのみに従う。なお、解除の方法としては、解除用のコマンドを別に用意しても良いし、後述のように壁スイッチからの調光アップ／ダウンの制御コマンドは無視されるので、それを解除に割り当てても良い。
【００６８】
照度センサからのフル点灯、調光アップ／ダウンの調光の各制御コマンドが次に優先度が高く、判断部１５Ｂは、送受信部１１によりその制御コマンドが受信されると、これに従って点灯制御指示を点灯制御部１２に入力する。この後、他の制御機器（壁スイッチ）からの制御コマンドが受信された場合、その制御コマンドに従って点灯制御を行なう。
【００６９】
壁スイッチからの調光アップ／ダウンの調光、照度センサからの消灯の各制御コマンドが最も優先度が低く、判断部１５Ｂは、送受信部１１によりその制御コマンドが受信されると、これを無視する。
【００７０】
このように、壁スイッチで強制フル点灯、強制消灯を優先的に行なえるようにし、照度センサにより省エネ調光制御を行なえるようにすることにより、照明器具がいずれのコマンドにも従って照度が増加したり減少したりを繰り返し、適切な照明制御を成し得ることができないという不具合が発生することがない。
【００７１】
なお、別例として、点灯装置が壁スイッチからのコマンドを少なくとも１回以上受け取ると、照度センサからのコマンドをすべて無視し、壁スイッチからのコマンドのみに優先的に従って動作するようにしてもよい。この場合、第３実施形態と異なり、照度センサが行う制御の利点を活かすことはできないが、いずれの所定の動作も達成しないというようなことはなくなる。
【００７２】
（第４実施形態）
図８は本発明に係る第４実施形態の点灯装置およびこれを含むシステムの構成図である。
【００７３】
第４実施形態の点灯装置１０Ｃは、図８に示すように、送受信部１１と、点灯制御部１２と、点灯回路部１３と、優先順位記憶部１４Ａとを第３実施形態の点灯装置１０Ｂと同様に備えているほか、点灯装置１０Ｂとの相違点として、判断部１５Ｃを備えている。
【００７４】
ただし、第４実施形態では、制御機器２は、操作スイッチ付き制御機器２０および照度センサ付き制御機器２３の「一般機器」のほか、非常時にアドレスおよび放電灯ＤＬを制御するための制御コマンドを含むデジタル信号を信号線Ｌ上に送信する非常用制御機器２４の「特定機器」を含む。また、これら操作スイッチ付き制御機器２０、照度センサ付き制御機器２３および非常用制御機器２４は、「Ｇ１」に対応する「グループ１アドレス」および制御コマンドを含むデジタル信号を送信するように設定されている。なお、人感センサ付き制御機器２１や、予め設定された時刻になると放電灯ＤＬを制御（例えば点灯または消灯）するための制御コマンドを含むデジタル信号を送信するスケジュール制御機器も、「一般機器」に属する。「特定機器」には、非常状態を検出すると、災害時の避難経路を示すべく、予め設定された照明器具を強制的にフル点灯するためのデジタル信号を送信する火災報知器や、不審者などの侵入検出時にそのことを外部に知らしめるため、予め設定された照明器具を強制的に周期点滅するためのデジタル信号を送信する防犯セキュリティ装置などがある。
【００７５】
判断部１５Ｃは、第３実施形態の判断部１５Ｂとの相違点として、送受信部１１により非常用制御機器２４からの制御コマンドが受信されると、この制御コマンドを従うべき制御コマンドであるとし、送受信部１１により受信されて得られる以降の制御コマンドを全て無視する。このように、制御コマンドを全て無視するのは、「特定機器」の発報時、「一般機器」により送信される制御コマンドによって、「特定機器」により送信される制御コマンド（上述の強制フル点灯や周期点滅用の制御）が妨害される不都合を防ぐためである。なお、強制フル点灯や周期点滅用の制御内容は、点灯装置１０Ｃに対して予め設定される。
【００７６】
このように、「特定機器」からの制御コマンドを優先することにより、「特定機器」により送信される制御コマンドが「一般機器」により送信される制御コマンドによって妨害されるのを防ぐことができる。
【００７７】
なお、送受信部１１により非常用制御機器２４からの制御コマンドが受信されると、信号線Ｌを強制的に短絡する短絡手段を設けるようにすれば、さらに万全である。
【００７８】
また、信号線Ｌにビルマネージメントシステムなどの上位のネットワーク信号線とを結ぶ信号変換器を備え、上記短絡手段によって信号線Ｌが強制的に短絡されると、信号変換器によって、非常事態と判断し、ビルマネージメントシステムに信号を送信するように構成してもよい。これにより、ビルマネージメントシステムに接続された表示部を介して非常事態を外部に報知することができ、離れた場所でも非常事態を監視できるシステムを構築することができる。
【００７９】
（第５実施形態）
図９は本発明に係る第５実施形態の点灯装置およびこれを含むシステムの構成図である。
【００８０】
第５実施形態の点灯装置１０Ｄは、図９に示すように、送受信部１１と、点灯制御部１２と、点灯回路部１３とを第３実施形態の点灯装置１０Ｂと同様に備えているほか、点灯装置１０Ｂとの相違点として、点灯レベル記憶部１４Ｂと、判断部１５Ｄとを備えている。
【００８１】
ただし、第５実施形態では、制御機器２は、人感センサ付き制御機器２１と、予め設定された時刻になると放電灯ＤＬを制御するための制御コマンドを含むデジタル信号を送信するスケジュール制御機器２２とを含む。また、これら人感センサ付き制御機器２１およびスケジュール制御機器２２は、「Ｇ１」に対応する「グループ１アドレス」および制御コマンドを含むデジタル信号を送信するように設定されている。
【００８２】
点灯レベル記憶部１４Ｂは、例えばＲＡＭにより構成され、制御下の放電灯ＤＬの点灯レベルを記憶するためのものである。
【００８３】
判断部１５Ｄは、送受信部１１により、放電灯ＤＬを点灯、消灯または調光するためのものであって制御機器２の種別をも示すように設定された制御コマンドを含むデジタル信号が受信され、このデジタル信号に含まれる制御コマンドによって示される制御機器２が人感センサ付き制御機器２１であり、その制御コマンドが周囲に人が居ないときのものである場合、これを点灯制御部１２に優先的に入力する。
【００８４】
また、判断部１５Ｄは、送受信部１１により受信されたデジタル信号に点灯制御コマンドが含まれ、この制御コマンドによって示される制御機器が人感センサ付き制御機器２１である場合、点灯レベル記憶部１４Ｂに記憶された出力レベルになるように点灯制御部１２に制御コマンドを入力する。
【００８５】
ここで、図９（ａ）に示すような構成の場合、人感センサ付き制御機器２１が検知エリア内に人の居ないと判断して調光ないし消灯の制御コマンドを照明器具１に送信したにも関わらず、スケジュール制御機器２２がスケジュールに従ってその照明器具１にフル点灯の制御コマンドを送信したとすれば、人が居ないときに照明器具１がフル点灯し、無駄に電力を消費してしまうことが起こる。
【００８６】
第５実施形態では、以下の動作により無駄に電力を消費してしまうことを防止することができる。人感センサ付き制御機器２１からの調光、消灯の制御コマンドが最も優先度が高く、点灯装置１０Ｄの判断部１５Ｄは、送受信部１１によりその制御コマンドが受信されると、これを点灯制御部１２に入力する。これにより、「グループ１アドレス」に属する各放電灯ＤＬが調光または消灯する。
【００８７】
この後、判断部１５Ｄは、送受信部１１によりスケジュール制御機器２２からの調光の制御コマンドが受信されたとすると、この制御コマンド（出力レベル）を点灯レベル記憶部１４Ｂに記憶するに留め、その制御コマンドの点灯制御部１２への入力を禁止する。
【００８８】
この後、判断部１５Ｄは、送受信部１１により人感センサ付き制御機器２１からの点灯制御コマンドが受信されたとすると、これに代えて、点灯レベル記憶部１４Ｂに記憶したスケジュール制御機器２２からの制御コマンドを読み出して点灯制御部１２に入力する。これにより、「グループ１アドレス」に属する各放電灯ＤＬがスケジュールに従って動作する。
【００８９】
この後、判断部１５Ｄは、送受信部１１によりスケジュール制御機器２２からの調光の制御コマンドが受信されたとすると、これを点灯レベル記憶部１４Ｂに記憶するに留め、そして送受信部１１により人感センサ付き制御機器２１からの点灯制御コマンドが受信されたとすると、点灯レベル記憶部１４Ｂに記憶した制御コマンドを点灯制御部１２に入力する処理を繰り返す。
【００９０】
なお、この後、送受信部１１により人感センサ付き制御機器２１からの調光、消灯の制御コマンドが受信されたとすると、これを点灯制御部１２に入力する。
【００９１】
このように、人感センサ付き制御機器２１が周囲に人を検知していない時、スケジュール制御機器２２の制御コマンドよりも人感センサ付き制御機器２１の制御コマンドの方が優先されるので、人が居ないときに照明器具１がフル点灯し、無駄に電力を消費してしまうことが起こるのを防止することができる。また、人感センサ付き制御機器２１が周囲に人を検知している時、人感センサ付き制御機器２１の制御コマンドに代えて、スケジュール制御機器２２の制御コマンドが点灯レベル記憶部１４Ｂから読み出されて使用されるので、スケジュール制御機器２２により指定される点灯レベルで放電灯ＤＬを点灯することができる。
【００９２】
（第６実施形態）
図１０は本発明に係る第６実施形態の点灯装置およびこれを含むシステムの構成図である。
【００９３】
第６実施形態の点灯装置１０Ｅは、図１０に示すように、送受信部１１と、点灯制御部１２と、点灯回路部１３と、点灯レベル記憶部１４Ｂとを第５実施形態の点灯装置１０Ｄと同様に備えているほか、点灯装置１０Ｄとの相違点として判断部１５Ｅを備えている。
【００９４】
ただし、第６実施形態では、制御機器２は、人感センサ付き制御機器２１と、照度センサ付き制御機器２３とを含み、これらは、「Ｇ１」に対応する「グループ１アドレス」および制御コマンドを含むデジタル信号を送信するように設定されている。
【００９５】
判断部１５Ｅは、第５実施形態の判断部１５Ｄとの相違点として、送受信部１１により受信されたデジタル信号に放電灯ＤＬを調光するための調光制御コマンドが含まれ、この制御コマンドによって示される制御機器が照度センサ付き制御機器２３である場合、その調光制御コマンドの点灯制御部１２への入力を禁止し、その照度センサ付き制御機器２３による出力レベルを点灯レベル記憶部１４Ｂに記憶する。
【００９６】
ここで、図１０（ａ）に示すような構成の場合、人感センサ付き制御機器２１が周囲に人の居ないことを判断して調光ないし消灯の制御コマンドを照明器具１に送信したにも関わらず、照度センサ付き制御機器２３が照度センサから得られる照度値を予め設定された値になるように放電灯ＤＬを調光するための制御コマンドを送信したとすると、人が居ないときに照明器具１が照度センサ付き制御機器２３により制御され、無駄に電力を消費してしまうことが起こる。
【００９７】
第６実施形態では、以下の動作により無駄に電力を消費してしまうことを防止することができる。人感センサ付き制御機器２１からの調光、消灯の制御コマンドが最も優先度が高く、点灯装置１０Ｅの判断部１５Ｅは、送受信部１１によりその制御コマンドが受信されると、これを点灯制御部１２に入力する。これにより、「グループ１アドレス」に属する各放電灯ＤＬが調光または消灯する。
【００９８】
この後、判断部１５Ｅは、送受信部１１により照度センサ付き制御機器２３からの調光の制御コマンドが受信されたとすると、これを点灯レベル記憶部１４Ｂに記憶するに留め、その制御コマンドの点灯制御部１２への入力を禁止する。
【００９９】
この後、判断部１５Ｅは、送受信部１１により人感センサ付き制御機器２１からの点灯制御コマンドが受信されたとすると、これに代えて、点灯レベル記憶部１４Ｂに記憶した照度センサ付き制御機器２３からの制御コマンドを読み出して点灯制御部１２に入力する。これにより、「グループ１アドレス」に属する各放電灯ＤＬが人感センサ付き制御機器２１からの点灯制御コマンドに従って動作する。
【０１００】
この後、判断部１５Ｅは、送受信部１１により照度センサ付き制御機器２３からの調光の制御コマンドが受信されたとすると、これを点灯レベル記憶部１４Ｂに記憶するに留め、そして送受信部１１により人感センサ付き制御機器２１からの点灯制御コマンドが受信されたとすると、点灯レベル記憶部１４Ｂに記憶した制御コマンドを点灯制御部１２に入力する処理を繰り返す。
【０１０１】
なお、この後、送受信部１１により人感センサ付き制御機器２１からの調光、消灯の制御コマンドが受信されたとすると、これを点灯制御部１２に入力する。
【０１０２】
このように、人感センサ付き制御機器２１が周囲に人を検知していない時、照度センサ付き制御機器２３の制御コマンドよりも人感センサ付き制御機器２１の制御コマンドの方が優先されるので、人が居ないときに照明器具１が照度センサ付き制御機器２３により制御され、無駄に電力を消費してしまうことが起こるのを防止することができる。また、人感センサ付き制御機器２１が周囲に人を検知している時、人感センサ付き制御機器２１の制御コマンドに代えて、照度センサ付き制御機器２３の制御コマンドが点灯レベル記憶部１４Ｂから読み出されて使用されるので、照度センサ付き制御機器２３により指定される点灯レベルで放電灯ＤＬを点灯することができる。
【０１０３】
（第７実施形態）
図１１は本発明に係る第７実施形態の点灯装置およびこれを含むシステムの構成図、図１２は同点灯装置の動作説明図である。
【０１０４】
第７実施形態の点灯装置１０Ｆは、図１１に示すように、送受信部１１と、点灯制御部１２と、点灯回路部１３とを第１実施形態の点灯装置１０と同様に備えているほか、点灯装置１０との相違点として判断部１５Ｆを備え、放電灯ＤＬを制御するための制御コマンドを出力する外部操作機器３が信号線Ｌとは別に直付けされている。判断部１５Ｆは、信号線Ｌから得られる制御コマンドと外部操作機器３から出力される制御コマンドのいずれに従うかを判断するものである。
【０１０５】
例えば、人感センサ、照度センサ、タイマコントローラ、リモコン信号受信部などの外部操作機器３が判断部１５Ｆに直接接続され、調光・点滅制御を行うシステムを想定する。この場合、この外部操作機器３と信号線Ｌを通じて自身のアドレス宛に送られてくるデジタル調光信号のいずれに従って制御するべきかを判断する必要があり、以下の制御モードが用意される。
【０１０６】
図１２（ａ）において、点灯装置１０Ｆおよび照明器具１が設置され、自身のアドレス宛に調光・点滅制御を受信するまでは、この初期モードで動作する。本モードでは、外部操作機器３からの点灯制御指示を受け取ると、判断部１５Ｆは、点灯制御部１２へその指示を引き渡し、放電灯ＤＬの点灯制御を行う。
【０１０７】
図１２（ｂ）において、点灯装置１０Ｆの送受信部１１が信号線Ｌを通じて自身のアドレス宛に点灯制御コマンドを受信すると、本モードヘ移行する。本モードでは、判断手段はＢＵＳ配線を通じて受信したデジタル調光信号にのみ従って動作するよう判断して、点灯制御部へ点灯制御指示を引き渡す。つまり、直接接続された外部操作機器からの点灯制御指示は無視して従わない。
【０１０８】
図１２（ｃ）において、自身のアドレス宛に「外部連動解除コマンド」を受信すると、外部連動モードから制御モードに移行する。
【０１０９】
図１２（ｄ）において、自身のアドレス宛に「親器設定コマンド」を受信すると、判断部１５Ｆは、外部操作機器３からの点灯制御指示を受け取ると、点灯制御部１２へその指示を引き渡し、放電灯ＤＬの点灯制御を行うとともに、外部操作機器３からの点灯制御指示をコマンドとしたデジタル調光信号を送受信部１１から信号線Ｌを通じて他の点灯装置に送信する。
【０１１０】
このように、外部操作機器３に従うか、信号線Ｌを通じて送られてきたデジタル信号に従うかを判断部１５Ｆが適宜判断し、その従うと判断した方に切り替えることにより、状況に応じた照明制御を行うことが可能となる。
【０１１１】
（第８実施形態）
図１３は本発明に係る第８実施形態の点灯装置およびこれを含むシステムの構成図である。
【０１１２】
第８実施形態の点灯装置は、これまでの各実施形態で述べた判断部（１５Ｇ）や優先順位記憶部１４Ａ、点灯レベル記憶部１４Ｂなど（図では１４Ａ）に対して、図１３に示すように、時間によってその判断部の判断基準・優先度を切り替えるタイマ１６さらに備える点を特徴とする。
【０１１３】
例えば第１実施形態でグループの重複設定がなされている照明器具における不具合を解消する方法を述べた。しかし、ある時間帯では重複設定されたグループのうち一方のグループアドレスに宛てたコマンドを完全に無視して従わずに他方のコマンドのみに従うことが有用であることがある。例えば、事務所の照明として利用されている場合に、一方のグループが営業グループの事務机を照らしており、他方のグループは事務職の事務机を照らしているとする。ここで双方の部門を統括する役職の机を照らす照明器具は両方のグループに重複設定されているとする。通常は第１実施形態で述べたような動作を行う。しかし、昼間は営業グループが外回りで事務所を出払うとすれば、営業グループの事務机を照らす照明器具グループは強制的に調光・消灯などして省エネを図ることがある。ここで重複設定されている双方の部門を統括する役職の机を照らす照明器具は他方のグループに対する照明制御のみに従えば良い。そこでタイマ１６は営業グループが外回りに出かける時間帯に、他方のグループに対する照明制御のみに従うように判断部を切り替える。
【０１１４】
このように、判断部にタイマ１６を加えることにより、必要に応じて時間により優先度や判断基準を切り替え、より木目細かな照明制御が可能になる。
【０１１５】
【発明の効果】
以上のことから明らかなように、請求項１記載の発明は、信号線上にアドレスおよび制御コマンドを含むデジタル信号を送信する複数の制御機器とその信号線を介して接続される複数の照明器具の各々に設けられ、放電灯が別に接続される点灯装置であって、少なくとも前記信号線から前記デジタル信号を受信する通信手段と、この通信手段で受信されたデジタル信号に含まれる制御コマンドに従って、前記放電灯を点灯、消灯または調光するための点灯制御信号を出力する点灯制御手段と、この点灯制御手段から出力される点灯制御信号に従って、前記放電灯を点灯、消灯または調光する点灯手段と、前記通信手段と前記点灯制御手段との間に介設され、前記通信手段により前記デジタル信号が受信されると、このデジタル信号に当該点灯装置に対するアドレスが含まれる場合、そのデジタル信号に含まれる制御コマンドが従うべき制御コマンドであるか否かを識別するコマンド入力判断手段とを備えるので、従うべき制御コマンドでないものを制御から外すことができるため、複数の制御機器から別々に制御コマンドを受けた場合でも不都合のないシステム制御が可能となる。
【０１１６】
請求項２記載の発明は、請求項１記載の点灯装置において、読み書き可能な記憶手段を備え、前記コマンド入力判断手段は、前記通信手段により、前記複数の制御機器のいずれかから、特定のアドレスおよび前記放電灯を点灯するための点灯制御コマンドを含むデジタル信号が受信される毎に、このデジタル信号に含まれるアドレスを前記記憶手段に記憶し、前記通信手段により、前記複数の制御機器のいずれかから、前記放電灯を消灯するための消灯制御コマンドを含むデジタル信号が受信される毎に、このデジタル信号に含まれるアドレスと前記記憶手段に記憶したアドレスとの比較を行い、この比較結果に応じて前記消灯制御コマンドが従うべき制御コマンドであるか否かを識別するので、従うべき制御コマンドでないものを制御から外すことができるため、複数の制御機器から別々に制御コマンドを受けた場合でも不都合のないシステム制御が可能となる。
【０１１７】
請求項３記載の発明は、請求項２記載の点灯装置において、前記コマンド入力判断手段は、前記通信手段により、前記消灯制御コマンドを含むデジタル信号が受信される毎に、このデジタル信号に含まれるアドレスと前記記憶手段に最後に記憶したアドレスとの比較を行い、これら双方のアドレスが一致した比較結果が得られた場合に、前記消灯制御コマンドを従うべき制御コマンドであるとするので、単一のグループに属する各放電灯をそのアドレスに応じて例えば点灯および消灯させることができるほか、複数のグループに属する各放電灯をそのアドレスに応じて点灯させることができ、それら全てのアドレスに対して消灯制御コマンドが出された時に消灯させることができる。
【０１１８】
請求項４記載の発明は、請求項２記載の点灯装置において、前記コマンド入力判断手段は、前記通信手段により、前記消灯制御コマンドを含むデジタル信号が受信される毎に、このデジタル信号に含まれるアドレスと前記記憶手段に記憶したアドレスとの比較を行い、これら双方のアドレスが一致した比較結果が得られた場合、これら双方のアドレスを互いに対応付け、前記記憶手段に記憶したアドレスが全て対応付けられた場合に、前記通信手段により受信されたデジタル信号に含まれる消灯制御コマンドを従うべき制御コマンドであるとするので、単一のグループに属する各放電灯をそのアドレスに応じて例えば点灯および消灯させることができるほか、複数のグループに属する各放電灯をそのアドレスに応じて点灯させることができ、それら全てのアドレスに対して消灯制御コマンドが出された時に消灯させることができる。
【０１１９】
請求項５記載の発明は、請求項１から４のいずれかに記載の点灯装置において、前記コマンド入力判断手段は、前記通信手段により、前記複数の制御機器のいずれかから、特定のアドレスおよび前記放電灯を消灯するための消灯制御コマンド以外のコマンドを含むデジタル信号が受信される毎に、このデジタル信号に含まれるアドレスを前記記憶手段に記憶するとともに、そのコマンドを従うべき制御コマンドであるとするので、各放電灯をそのアドレスに応じて点灯ないし調光することができる。
【０１２０】
請求項６記載の発明は、請求項１記載の点灯装置において、前記コマンド入力判断手段は、前記通信手段により前記デジタル信号が受信される毎に、このデジタル信号に含まれ、前記放電灯を点灯、消灯または調光するためのものであって前記制御機器の種別をも示すように設定された制御コマンドが、従うべき制御コマンドであるか否かを当該制御コマンドで示される種別に応じて識別するので、優先度を利用した制御が可能になる。
【０１２１】
請求項７記載の発明は、請求項６記載の点灯装置において、前記複数の制御機器は、操作スイッチに対する操作に応じて前記放電灯を点灯、消灯または調光するための制御コマンドを含むデジタル信号を送信する操作スイッチ付き制御機器と、周囲に人が居るか否かに応じて前記放電灯を制御するための制御コマンドを含むデジタル信号を送信する人感センサ付き制御機器と、予め設定された時刻になると前記放電灯を制御するための制御コマンドを含むデジタル信号を送信するスケジュール制御機器と、照度センサから得られる照度値が予め設定された値になるように前記放電灯を調光するための制御コマンドを含むデジタル信号を送信する照度センサ付き制御機器とのうち、少なくとも２種類の制御機器を含み、前記コマンド入力判断手段は、ある制御コマンドについては、その制御コマンドで示される種別が、前記操作スイッチ付き制御機器である場合にはその制御コマンドを優先度が１番高いコマンドであるとし、前記人感センサ付き制御機器である場合にはその制御コマンドを優先度が２番目に高いコマンドであるとし、前記スケジュール制御機器である場合にはその制御コマンドを優先度が３番目に高いコマンドであるとし、前記照度センサ付き制御機器である場合にはその制御コマンドを優先度が４番目に高いコマンドであるとするので、優先度に応じた制御が可能になる。
【０１２２】
請求項８記載の発明は、請求項６または７記載の点灯装置において、前記複数の制御機器は、前記操作スイッチ付き制御機器および前記照度センサ付き制御機器の２種類の制御機器を含み、前記コマンド入力判断手段は、前記通信手段により受信されたデジタル信号に前記放電灯を点灯または消灯するための制御コマンドが含まれている場合、前記操作スイッチ付き制御機器からのコマンドの方を前記照度センサ付き制御機器からのコマンドよりも優先し、前記通信手段により受信されたデジタル信号に前記放電灯を調光するための制御コマンドが含まれている場合、前記照度センサ付き制御機器からのコマンドの方を前記操作スイッチ付き制御機器からのコマンドよりも優先するので、複数の制御機器から別々に制御コマンドを受けた場合でも不都合のないシステム制御が可能となる。
【０１２３】
請求項９記載の発明は、請求項６または７記載の点灯装置において、前記複数の制御機器は、前記操作スイッチ付き制御機器および前記照度センサ付き制御機器の２種類の制御機器を含み、前記コマンド入力判断手段は、前記通信手段により受信されたデジタル信号に前記放電灯を点灯、消灯または調光するための制御コマンドが含まれている場合、前記操作スイッチ付き制御機器からのコマンドの方を前記照度センサ付き制御機器からのコマンドよりも優先するので、複数の制御機器から別々に制御コマンドを受けた場合でも不都合のないシステム制御が可能となる。
【０１２４】
請求項１０記載の発明は、請求項１から９のいずれかに記載の点灯装置において、前記信号線には、非常時にアドレスおよび前記放電灯を制御するための制御コマンドを含むデジタル信号を前記信号線上に送信する非常用制御機器が接続され、前記コマンド入力判断手段は、前記通信手段により前記非常用制御機器からの制御コマンドが受信されると、この制御コマンドを従うべき制御コマンドであるとし、前記通信手段により受信されて得られる以降の制御コマンドを全て無視するので、非常用制御機器により送信される制御コマンドが他の制御機器により送信される制御コマンドによって妨害されるのを防ぐことができる。
【０１２５】
請求項１１記載の発明は、請求項１０記載の点灯装置において、前記通信手段により前記非常用制御機器からの制御コマンドが受信されると、前記信号線を強制的に短絡する短絡手段を備えるので、非常用制御機器により送信される制御コマンドが他の制御機器により送信される制御コマンドによって妨害されるのを好適に防ぐことができる。
【０１２６】
請求項１２記載の発明は、請求項１１記載の点灯装置において、前記信号線は、信号変換器を介して別のシステムの信号線と接続され、前記信号変換器は、前記短絡手段によって前記信号線が強制的に短絡されると、前記別のシステムの信号線に信号を送信するので、非常事態を外部に報知することができ、離れた場所でも非常事態を監視できるシステムを構築することができる。
【０１２７】
請求項１３記載の発明は、請求項１記載の点灯装置において、前記放電灯の出力レベルが記憶される読み書き可能な記憶手段を備え、前記複数の制御機器は、周囲に人が居るか否かに応じて前記放電灯を点灯または消灯するための制御コマンドを含むデジタル信号を送信する人感センサ付き制御機器を含み、前記コマンド入力判断手段は、前記通信手段により、前記放電灯を点灯、消灯または調光するためのものであって前記制御機器の種別をも示すように設定された制御コマンドを含むデジタル信号が受信され、このデジタル信号の制御コマンドによって示される制御機器が前記人感センサ付き制御機器であり、その制御コマンドが周囲に人が居ないときのものである場合、これを前記点灯制御手段に優先的に入力するので、人が居ないときに照明器具が点灯し、無駄に電力を消費してしまうことが起こるのを防止することができる。
【０１２８】
請求項１４記載の発明は、請求項１３記載の点灯装置において、前記複数の制御機器は、照度センサから得られる照度値が予め設定された値になるように前記放電灯を調光するための制御コマンドを含むデジタル信号を送信する照度センサ付き制御機器をさらに含み、前記コマンド入力判断手段は、前記通信手段により受信されたデジタル信号に前記放電灯を調光するための調光制御コマンドが含まれ、この制御コマンドによって示される制御機器が前記照度センサ付き制御機器である場合、その調光制御コマンドの前記点灯制御手段への入力を禁止し、その照度センサ付き制御機器による出力レベルを前記記憶手段に記憶するので、人が居ないときに照明器具が照度センサ付き制御機器により制御され、無駄に電力を消費してしまうことが起こるのを防止することができる。
【０１２９】
請求項１５記載の発明は、請求項１３または１４記載の点灯装置において、前記コマンド入力判断手段は、前記通信手段により受信されたデジタル信号に前記放電灯を点灯するための制御コマンドが含まれ、この制御コマンドによって示される制御機器が前記人感センサ付き制御機器である場合、前記記憶手段に記憶された出力レベルになるように前記点灯制御手段に制御コマンドを入力するので、人感センサ付き制御機器以外の制御機器により指定される点灯レベルで放電灯を点灯することができる。
【０１３０】
請求項１６記載の発明は、請求項１記載の点灯装置において、前記信号線とは別に直付けされ前記放電灯を制御するための制御コマンドを出力する操作機器を備え、前記コマンド入力判断手段は、前記信号線から得られる制御コマンドと前記操作機器から出力される制御コマンドのいずれに従うかを判断するので、状況に応じた照明制御を行うことが可能となる。
【図面の簡単な説明】
【図１】本発明に係る第１実施形態の点灯装置およびこれを含むシステムの構成図である。
【図２】同点灯装置の動作フロー図である。
【図３】同点灯装置の動作説明図である。
【図４】本発明に係る第２実施形態の点灯装置の構成図である。
【図５】同点灯装置の動作説明図である。
【図６】本発明に係る第３実施形態の点灯装置およびこれを含むシステムの構成図である。
【図７】同点灯装置の動作説明図である。
【図８】本発明に係る第４実施形態の点灯装置およびこれを含むシステムの構成図である。
【図９】本発明に係る第５実施形態の点灯装置およびこれを含むシステムの構成図である。
【図１０】本発明に係る第６実施形態の点灯装置およびこれを含むシステムの構成図である。
【図１１】本発明に係る第７実施形態の点灯装置およびこれを含むシステムの構成図である。
【図１２】同点灯装置の動作説明図である。
【図１３】本発明に係る第８実施形態の点灯装置およびこれを含むシステムの構成図である。
【図１４】本発明の点灯装置およびこれを含むシステムの基本構成例を示す図である。
【図１５】従来の点灯装置を含むシステム構成図である。
【図１６】同システムをグループ単位で制御する場合の構成図である。
【図１７】別の従来の点灯装置を含むシステム構成図である。
【図１８】同システムに人感センサ付き制御機器を含めた場合の構成図である。
【図１９】同システムで生じ得る不都合な動作の説明図である。
【符号の説明】
１　照明器具
１０，１０Ａ，１０Ｂ，１０Ｃ，１０Ｄ，１０Ｅ，１０Ｆ，１０Ｇ　点灯装置
１１　送受信部
１２　点灯制御部
１３　点灯回路部
１４　アドレス記憶部
１４Ａ　優先順位記憶部
１４Ｂ　点灯レベル記憶部
１５，１５Ａ，１５Ｂ，１５Ｃ，１５Ｄ，１５Ｅ，１５Ｆ，１５Ｇ　判断部
【図１】
2004063213.tif 000004
【図２】
2004063213.tif 000005
【図３】
2004063213.tif 000006
【図４】
2004063213.tif 000007
【図５】
2004063213.tif 000008
【図６】
2004063213.tif 000009
【図７】
2004063213.tif 000010
【図８】
2004063213.tif 000011
【図９】
2004063213.tif 000012
【図１０】
2004063213.tif 000013
【図１１】
2004063213.tif 000014
【図１２】
2004063213.tif 000015
【図１３】
2004063213.tif 000016
【図１４】
2004063213.tif 000017
【図１５】
2004063213.tif 000018
【図１６】
2004063213.tif 000019
【図１７】
2004063213.tif 000020
【図１８】
2004063213.tif 000021
【図１９】
2004063213.tif 000022